【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
液晶組成物が、一般式（I-1）
【化１】
1999106753.tif 000001
（式中、Ｒ11は炭素原子数２〜１０の直鎖状アルキル基又はアルケニル基を表し、Ｒ12は水素原子又は炭素原子数１〜５の直鎖状アルキル基を表す。）で表される１種又は２種以上の化合物からなる液晶成分Ａを含有しその含有率が１〜５０重量％であり、一般式（II-1）〜（II-4）
【化２】
1999106753.tif 000002
（式中、Ｒ21〜Ｒ24は各々独立的に炭素原子数２〜１０の直鎖状アルキル基、アルケニル基又はＣs Ｈ2s+1-Ｏ-Ｃt Ｈ2t を表し、ｓ及びｔは各々独立的に１〜５の整数を表し、Ｘ21〜Ｘ24は各々独立的にフッ素原子、塩素原子、-ＯＣＦ3、-ＯＣＨＦ2、-ＣＦ3又は-ＣＮを表し、Ｙ21〜Ｙ28は各々独立的に水素原子又はフッ素原子を表し、Ｗ21〜Ｗ24は各々独立的に水素原子又はフッ素原子を表し、Ｚ21〜Ｚ23は各々独立的に単結合、-ＣＯＯ-、-Ｃ2Ｈ4-又は-Ｃ4Ｈ8-を表し、Ｚ21はまた-Ｃ≡Ｃ-又は-ＣＨ＝ＣＨ-であってもよく、Ｚ24、Ｚ25は各々独立的に単結合、-ＣＯＯ-、-Ｃ≡Ｃ-又は-ＣＦ＝ＣＦ-を表し、ｍ1〜ｍ4は各々独立的に０又は１を表し、ｍ3＋ｍ4は０又は１であり、各化合物におけるシクロヘキサン環の水素原子（Ｈ）は重水素原子（Ｄ）で置換されていても良い。）で表される化合物群から選ばれ、＋２以上の誘電率異方性を有する化合物からなる液晶成分Ｂを含有する液晶組成物であって、該液晶組成物が３以上の誘電率異方性であり、６０℃以上のネマチック相−等方性液体相転移温度であり、０℃以下の結晶相又はスメクチック相−ネマチック相転移温度であることを特徴とするネマチック液晶組成物。
【請求項２】
前記液晶成分Ａが、一般式（I-1）におけるＲ11がエチル基、プロピル基又はブチル基で表される化合物及び／又はＲ12が水素原子で表される化合物を３０〜１００重量％含有することを特徴とする請求項１記載のネマチック液晶組成物。
【請求項３】
前記液晶成分Ｂが、前記一般式（II-1）〜（II-4）におけるＲ21〜Ｒ24が各々独立的に炭素原子数２〜５のアルキル基又はアルケニル基である化合物及び／又はＸ21〜Ｘ24が各々独立的にフッ素原子、塩素原子、-ＯＣＦ3又は-ＣＮである化合物を１０〜１００重量％含有することを特徴とする請求項１又は２記載のネマチック液晶組成物。
【請求項４】
前記液晶成分Ｂが、前記一般式（II-1）の化合物におけるＺ21、Ｚ22が各々独立的に単結合、-ＣＯＯ-、-Ｃ2Ｈ4-又は-Ｃ4Ｈ8-で表される化合物を１０〜１００重量％含有することを特徴とする請求項３記載のネマチック液晶組成物。
【請求項５】
前記液晶成分Ｂが、前記一般式（II-2）の化合物におけるＺ24が単結合、-ＣＯＯ-又は-Ｃ≡Ｃ-で表される化合物を１０〜１００重量％含有することを特徴とする請求項３又は４記載のネマチック液晶組成物。
【請求項６】
前記液晶成分Ｂが、前記一般式（II-3）の化合物におけるＺ25が単結合又は-Ｃ≡Ｃ-で表される化合物を少なくとも１０重量％含有することを特徴とする請求項３、４又は５記載のネマチック液晶組成物。
【請求項７】
前記液晶組成物が、前記液晶成分Ｂを１０〜９９重量％含有することを特徴とする請求項１乃至６記載のネマチック液晶組成物。
【請求項８】
前記液晶組成物が、−２〜２の誘電率異方性を有する化合物からなる液晶成分Ｃを含有し、該液晶成分Ｃが、一般式（III-1）〜（III-4）
【化３】
1999106753.tif 000003
（式中、Ｒ31〜Ｒ34は各々独立的に炭素原子数２〜７の直鎖状アルキル基又はアルケニル基を表し、Ｒ35〜Ｒ38は各々独立的に炭素原子数１〜７の直鎖状アルキル基、アルコキシ基、アルケニル基、アルケニルオキシ基又はＣu Ｈ2u+1-Ｏ-Ｃv Ｈ2v を表し、ｕ及びｖは各々独立的に１〜５の整数を表し、Ｙ31は水素原子、フッ素原子又は-ＣＨ3を表し、Ｙ32及びＹ33は各々独立的に水素原子又はフッ素原子を表し、Ｚ31〜Ｚ34は各々独立的に単結合、-ＣＯＯ-、-Ｃ2Ｈ4-又は-Ｃ4Ｈ8-を表し、Ｚ31はまた-Ｃ≡Ｃ-又は-ＣＨ＝ＣＨ-であってもよく、Ｚ35は単結合、-Ｃ≡Ｃ-、-ＣＯＯ-又は-ＣＦ＝ＣＦ-を表し、環Ａ31、環Ａ32は各々独立的にシクロヘキサン環又はシクロヘキセン環を表し、環Ａ33、環Ａ34は各々独立的にシクロヘキサン環又はベンゼン環を表し、ｎ1〜ｎ5は各々独立的に０又は１の整数を表し、ｎ4＋ｎ5は０又は１であり、各化合物におけるシクロヘキサン環の水素原子(Ｈ)は重水素原子（Ｄ）で置換されていても良い。）で表される化合物群から選ばれる化合物を１種又は２種以上含有することを特徴とする請求項１乃至７記載のネマチック液晶組成物。
【請求項９】
前記液晶成分Ｃが、前記一般式（III-1）の化合物において、Ｒ31が炭素原子数２〜５の直鎖状アルキル基又はアルケニル基を表し、Ｒ35が炭素原子数１〜５の直鎖状アルキル基、アルコキシ基、アルケニル基、アルケニルオキシ基を表し、ｎ1が０の場合、Ｚ32が単結合又は-ＣＯＯ-で表される化合物及び／又はｎ1が１の場合、環Ａ31がシクロヘキサン環を表し、Ｚ31、Ｚ32が単結合で表される化合物を１０〜１００重量％含有することを特徴とする請求項８記載のネマチック液晶組成物。
【請求項１０】
前記液晶成分Ｃが、前記一般式（III-2）の化合物において、Ｒ32が炭素原子数２〜５の直鎖状アルキル基又はアルケニル基を表し、Ｒ36が炭素原子数１〜５の直鎖状アルキル基、アルコキシ基、アルケニル基、アルケニルオキシ基を表し、ｎ2が０の場合、環Ａ32がシクロヘキサン環又はシクロヘキセン環であり、Ｚ33が単結合、-ＣＯＯ-又は-Ｃ2Ｈ4-で表される化合物及び／又はｎ2が１の場合、環Ａ32がシクロヘキサン環であり、Ｚ33が単結合又は-Ｃ2Ｈ4-で表される化合物を１０〜１００重量％含有することを特徴とする請求項９又は１０記載のネマチック液晶組成物。
【請求項１１】
前記液晶成分Ｃが、前記一般式（III-3）の化合物において、Ｚ35が-Ｃ≡Ｃ-で表される化合物を１０〜１００重量％含有することを特徴とする請求項８、９又は１０記載のネマチック液晶組成物。
【請求項１２】
前記液晶組成物が、前記液晶成分Ｃを多くとも７０重量％含有することを特徴とする請求項８、９、１０又は１１記載のネマチック液晶組成物。
【請求項１３】
前記液晶組成物が、４個の六員環を有したコア構造の化合物であって、該化合物の液晶相−等方性液体相転移温度が１００℃以上を有する化合物を1種又は２種以上含有することを特徴とする請求項１乃至１２記載のネマチック液晶組成物。
【請求項１４】
前記液晶組成物が、４〜３０の誘電率異方性であり、０．０８〜０．３３の複屈折率であり、７０℃以上のネマチック相−等方性液体相転移温度であり、−１０℃以下の結晶相又はスメクチック相−ネマチック相転移温度であることを特徴とする請求項１乃至１３記載のネマチック液晶組成物。
【請求項１５】
前記液晶組成物に、誘起螺旋ピッチが０．５〜１０００μｍとなる光学活性基を有する化合物を含有することを特徴とする請求項１乃至１４記載のネマチック液晶組成物。
【請求項１６】
請求項１５記載のネマチック液晶組成物を用いたアクティブ・マトリクス、ツイスティッド・ネマチック又はスーパー・ツイスティッド・ネマチック液晶表示装置。